【手続補正書】
【提出日】平成24年8月29日(2012.8.29)
【手続補正１】
【補正対象書類名】特許請求の範囲
【補正対象項目名】全文
【補正方法】変更
【補正の内容】
【特許請求の範囲】
【請求項１】
左側エンドフレーム及び右側エンドフレームと、
露出された第１のタップ支持部が上段部に形成され、前記第１のタップ支持部の下方左側に左側が開放された左側収容部及び下方右側に右側が開放された右側収容部が形成され、
前記左側エンドフレームと右側エンドフレームとの間に隣り合って設置される多数個のメインフレームと、
露出された第２のタップ支持部が上段部に形成され、前記多数個のメインフレームのうち隣り合う２個のメインフレームのうち、左側メインフレームの右側収容部と右側メインフレームの左側収容部との間に設置されるように、左側が前記左側メインフレームに締結され、右側が前記右側メインフレームに締結されるセンターフレームと、
パウチの周面の左側に切曲された左側電極タップ及び右側に切曲された右側電極タップが各々突出形成され、前記多数個の左側収容部と右側収容部のうち隣り合う２個の収容部からなる特定群収容部の左側に隣り合って位置する左側群収容部のそれぞれの左側収容部及び前記特定群収容部の右側に隣り合って位置する右側群収容部のそれぞれの左側収容部に収容される第１のタイプリチウム２次電池と、
前記第１のタイプリチウム２次電池の右側電極タップと対向する方向に反対極性の左側電極タップが突出形成され、前記第１のタイプリチウム２次電池の左側電極タップと対向する方向に反対極性の右側電極タップが突出形成され、前記左側群収容部のそれぞれの右側収容部及び前記右側群収容部のそれぞれの右側収容部に収容される第２のタイプリチウム２次電池と、
前記第１のタップ支持部に装着され、前記第１のタイプリチウム２次電池の右側電極タップ及び前記第２のタイプリチウム２次電池の左側電極タップを直列に通電可能に固定連結する第１の締結手段と、
前記第２のタップ支持部に装着され、前記第２のタイプリチウム２次電池の右側電極タップ及び前記第１のタイプリチウム２次電池の左側電極タップを直列に通電可能に固定連結する第２の締結手段と、
前記左側群収容部と前記特定群収容部との間に位置するタップ支持部に装着される左側バスバー締結手段によって、前記左側群収容部の右側端収容部に収容されるリチウム２次電池の右側電極タップと通電可能に連結される左側バスバーと、
前記特定群収容部と前記右側群収容部との間に位置するタップ支持部に装着される右側バスバー締結手段によって、前記右側群収容部の左側端収容部に収容されるリチウム２次電池の左側電極タップと通電可能に連結される右側バスバーと、
前記左側バスバー及び右側バスバーと直列に通電可能に連結される過電流遮断装置と、
を含むことを特徴とするバスバーを備えたリチウム２次電池単位セット。
【請求項２】
前記第１の締結手段は、上部にボルトが突出形成される第１の下部固定板と、前記第１の下部固定板のボルトが貫通される第１の上部固定板と、前記第１の上部固定板を貫通した前記第１の下部固定板のボルト端部に締結される第１の締結部材と、を含み、
前記第２の締結手段は、上部にボルトが突出形成される第２の下部固定板と、前記第２の下部固定板のボルトが貫通される第２の上部固定板と、前記第２の上部固定板を貫通した前記第２の下部固定板のボルト端部に締結される第２の締結部材と、を含み、
前記左側バスバー締結手段は、上部にボルトが突出形成される左側バスバー固定板と、前記左側バスバー固定板を貫通した前記左側バスバー固定板のボルト端部に締結される左側バスバー締結部材と、を含み、
前記左側バスバーは、前記左側バスバー固定板に装着され、前記左側バスバー固定板のボルトが貫通される左側バスバー締結板を含み、
前記右側バスバー締結手段は、上部にボルトが突出形成される右側バスバー固定板と、前記右側バスバー固定板を貫通した前記右側バスバー固定板のボルト端部に締結される右側バスバー締結部材と、を含み、
前記右側バスバーは、前記右側バスバー固定板に装着され、前記右側バスバー固定板のボルトが貫通される右側バスバー締結板を含むことを特徴とする請求項１に記載のバスバーを備えたリチウム２次電池単位セット。
【請求項３】
前記左側バスバー固定板と前記左側バスバー締結板との間には前記第１のタイプリチウム２次電池の左側電極タップと同一材質のダミー（ｄｕｍｍｙ）電極タップが固定され、
前記右側バスバー固定板と前記右側バスバー締結板との間には前記第２のタイプリチウム２次電池の右側電極タップと同一材質のダミー（ｄｕｍｍｙ）電極タップが固定されることを特徴とする請求項２に記載のバスバーを備えたリチウム２次電池単位セット。
【請求項４】
前記左側エンドフレームは、露出された第３のタップ支持部が上段部に形成され、前記多数個のメインフレームのうち左側端メインフレームの左側に締結され、
前記右側エンドフレームは、露出された第４のタップ支持部が上段部に形成され、前記多数個のメインフレームのうち右側端メインフレームの右側に締結され、
前記第３のタップ支持部には、上部にボルトが突出形成される第３の下部固定板と、前記第３の下部固定板のボルトが貫通される第３の上部固定板と、前記第３の上部固定板を貫通した前記第３の下部固定板のボルト端部に締結される第３の締結部材と、を備える第３の締結手段が装着され、
前記第４のタップ支持部には、上部にボルトが突出形成される第４の下部固定板と、前記第４の下部固定板のボルトが貫通される第４の上部固定板と、前記第４の上部固定板を貫通した前記第４の下部固定板のボルト端部に締結される第４の締結部材と、を備える第４の締結手段が装着され、
前記第３の締結手段は、前記第３の下部固定板と第３の上部固定板との間に前記多数個のメインフレームのうち左側端メインフレームに収容された第１のタイプリチウム２次電池の左側電極タップを固定させ、
前記第４の締結手段は、前記第４の下部固定板と第４の上部固定板との間に前記多数個のメインフレームのうち右側端メインフレームに収容された第２のタイプリチウム２次電池の左側電極タップを固定させることを特徴とする請求項１ないし請求項３のうちいずれか一項に記載のバスバーを備えたリチウム２次電池単位セット。
【請求項５】
前記第３の下部固定板と第３の上部固定板との間には前記第２のタイプリチウム２次電池の右側電極タップと同一材質のダミー（ｄｕｍｍｙ）電極タップが固定され、
前記第４の下部固定板と第４の上部固定板との間には前記第１のタイプリチウム２次電池の左側電極タップと同一材質のダミー（ｄｕｍｍｙ）電極タップが固定されることを特徴とする請求項４に記載のバスバーを備えたリチウム２次電池単位セット。
【請求項６】
前記左側群収容部のそれぞれの左側収容部及び前記右側群収容部のそれぞれの左側収容部には、前記第１のタイプリチウム２次電池ｎ個（ここで、ｎは２以上の自然数である。）が相互並列に通電されるようにその左側電極タップ及び右側電極タップが各々上下に積層されて収容され、
前記左側群収容部のそれぞれの右側収容部及び前記右側群収容部のそれぞれの右側収容部には、前記第２のタイプリチウム２次電池ｎ個（ここで、ｎは２以上の自然数である。）が相互並列に通電されるようにその左側電極タップ及び右側電極タップが各々上下に積層されて収容されることを特徴とする請求項１ないし請求項５のうちいずれか一項に記載のバスバーを備えたリチウム２次電池単位セット。
【請求項７】
前記第１の上部固定板、第２の上部固定板、第３の上部固定板、及び第４の上部固定板には固定板コネクターが各々取り付けられ、
前記左側バスバー締結板及び右側バスバー締結板には締結板コネクターが各々取り付けられ、
前記それぞれの固定板コネクター及び締結板コネクターには電圧測定器に連結された電圧測定ライン側のコネクターが挿着されることを特徴とする請求項４ないし請求項６のうちいずれか一項に記載のバスバーを備えたリチウム２次電池単位セット。
【請求項８】
前記左側バスバーは、前記左側バスバー締結板から切曲され、絶縁体によって被覆される一字形の左側バスバー延長部を含み、
前記右側バスバーは、前記右側バスバー締結板から切曲され、絶縁体によって被覆される一字形の右側バスバー延長部を含み、
前記それぞれのメインフレームの上段部には前記第１のタップ支持部の水平延長線上に前記左側バスバー延長部及び右側バスバー延長部をガイドするための“Ｕ”字形の第１のバスバーガイド管が形成され、
前記それぞれのセンターフレームの上段部には前記第２のタップ支持部の水平延長線上に前記左側バスバー延長部及び右側バスバー延長部をガイドするための“Ｕ”字形の第２のバスバーガイド管が形成されることを特徴とする請求項２ないし請求項７のうちいずれか一項に記載のバスバーを備えたリチウム２次電池単位セット。
【請求項９】
前記左側バスバー延長部と右側バスバー延長部は上下に相互積層されるように、前記左側バスバー延長部の一端部と右側バスバー延長部のいずれか一つは、上部または下部に切曲されることを特徴とする請求項８に記載のバスバーを備えたリチウム２次電池単位セット。
【請求項１０】
前記左側バスバー延長部の他端部には、前方または後方に切曲され、前記左側エンドフレームまたは右側エンドフレームに固定され、前記過電流遮断装置に連結される左側バスバー締結タップが形成され、
前記右側バスバー延長部の他端部には、前記左側バスバー締結タップが切曲された方向と反対方向に切曲され、前記左側エンドフレームと右側エンドフレームのうち前記左側バスバー締結タップが固定されたエンドフレームに固定され、前記過電流遮断装置に連結される右側バスバー締結タップが形成されることを特徴とする請求項９に記載のバスバーを備えたリチウム２次電池単位セット。
【請求項１１】
前記それぞれの第１の締結手段及び第２の締結手段の上部に設置される保護蓋をさらに含み、
前記それぞれのメインフレームの上段部には、前記第１のバスバーガイド管を中心に前記第１のタップ支持部の反対方向に前記保護蓋が締結される第１の保護蓋固定部が上方に突出形成され、
前記それぞれのセンターフレームの上段部には、前記第２のバスバーガイド管を中心に前記第２のタップ支持部の反対方向に前記保護蓋が締結される第２の保護蓋固定部が上方に突出形成されることを特徴とする請求項８ないし請求項１０のうちいずれか一項に記載のバスバーを備えたリチウム２次電池単位セット。
【請求項１２】
前記特定群収容部を構成する左側収容部及び右側収容部には、前記左側群収容部の右側端収容部に収容されたリチウム２次電池と前記右側群収容部の左側端収容部に収容されたリチウム２次電池との間の熱伝逹通路となるサーマルパッドが収容されることを特徴とする請求項１ないし請求項１１のうちいずれか一項に記載のバスバーを備えたリチウム２次電池単位セット。
【請求項１３】
前記それぞれのメインフレームは、一字形の底板と、前記底板の前方側端から上方に起立して中央部に空気流通孔が形成される前方垂直板と、前記底板の後方側端から上方に起立して中央部に空気流通孔が形成される後方垂直板と、前記前方垂直板の上方に位置して前方に突出される前方離隔突起と、前記後方垂直板の上方に位置して後方に突出される後方離隔突起と、を含み、
前記前方離隔突起及び後方離隔突起には、各々、一字形管が左右側方向に取り付けられることができる取付溝が上段から引き込まれて形成されることを特徴とする請求項１ないし請求項１２のうちいずれか一項に記載のバスバーを備えたリチウム２次電池単位セット。
【請求項１４】
前記特定群収容部は、前記多数個のメインフレームのうち左側端メインフレームと右側端メインフレームとの間に位置するいずれか一つの特定メインフレームに形成された左側収容部及び右側収容部であることを特徴とする請求項１ないし請求項１３のうちいずれか一項に記載のバスバーを備えたリチウム２次電池単位セット。
【請求項１５】
前記前方垂直板及び後方垂直板には、各々、左側端と右側端から引き込まれる左側溝及び右側溝が形成され、
前記センターフレームには、前方外側面から内側に引き込まれて左側面及び右側面を貫通し、前記隣り合うメインフレームのうち左側メインフレームの前方垂直板の右側溝及び右側メインフレームの前方垂直板の左側溝が形成する貫通孔に連通される温度センサー前方挿着溝が形成され、
後方外側面から内側に引き込まれて左側面及び右側面を貫通し、前記隣り合うメインフレームのうち左側メインフレームの後方垂直板の右側溝及び右側メインフレームの後方垂直板の左側溝が形成する貫通孔に連通される温度センサー後方挿着溝が形成されることを特徴とする請求項１３又は１４に記載のバスバーを備えたリチウム２次電池単位セット。
【請求項１６】
前記前方離隔突起は、後端部に形成される小幅部と、小幅部に連接して左右側に突出されて前端部に形成される大幅部と、を含み、
前記後方離隔突起は、前端部に形成される小幅部と、小幅部に連接して左右側に突出されて後端部に形成される大幅部と、を含み、
前記前方離隔突起の取付溝は、一部が前記前方離隔突起の小幅部に形成され、残りは大幅部に形成され、
前記後方離隔突起の取付溝は、一部が前記後方離隔突起の小幅部に形成され、残りは大幅部に形成され、
温度測定器に連結された温度測定ラインのうち前記隣り合う２個のメインフレームのうち、左側メインフレームの前方離隔突起の小幅部と右側メインフレームの前方離隔突起の小幅部とが形成する隙間を通してガイドされた温度測定ラインは、前記温度センサー前方挿着溝に挿着された温度センサーに連結され、
温度測定器に連結された温度測定ラインのうち前記隣り合う２個のメインフレームのうち、左側メインフレームの後方離隔突起の小幅部と右側メインフレームの後方離隔突起の小幅部とが形成する隙間を通してガイドされた温度測定ラインは、前記温度センサー後方挿着溝に挿着された温度センサーに連結されることを特徴とする請求項１３ないし請求項１５のうちいずれか一項に記載のバスバーを備えたリチウム２次電池単位セット。
【請求項１７】
前記前方離隔突起は、後端部に形成される小幅部と、小幅部に連接して左右側に突出されて前端部に形成される大幅部と、を含み、
前記後方離隔突起は、前端部に形成される小幅部と、小幅部に連接して左右側に突出されて後端部に形成される大幅部と、を含み、
前記前方離隔突起の取付溝は、一部が前記前方離隔突起の小幅部に形成され、残りは大幅部に形成され、
前記後方離隔突起の取付溝は、一部が前記後方離隔突起の小幅部に形成され、残りは大幅部に形成され、
前記左側群収容部が形成される左側群メインフレームと前記右側群収容部が形成される右側群メインフレームのうち隣り合って設置されるメインフレームのうち、左側メインフレームの前方離隔突起の小幅部と右側メインフレームの前方離隔突起の小幅部とが形成する隙間を通してガイドされた電圧測定ラインは、前記左側メインフレームと右側メインフレームとの間に位置したセンターフレームに取り付けられる第２の締結手段に通電可能に連結され、
前記左側群メインフレームのうち、右側端メインフレームの前方離隔突起の小幅部と前記特定メインフレームの前方離隔突起の小幅部とが形成する隙間を通してガイドされた電圧測定ラインは、前記左側バスバー締結手段に通電可能に連結され、
前記右側群メインフレームのうち、左側端メインフレームの前方離隔突起の小幅部と前記特定メインフレームの前方離隔突起の小幅部とが形成する隙間を通してガイドされた電圧測定ラインは、前記右側バスバー締結手段に通電可能に連結され、
前記左側群メインフレームと右側群メインフレームのうち隣り合って設置されるメインフレームのうち、左側メインフレームの後方離隔突起の小幅部と右側メインフレームの後方離隔突起の小幅部とが形成する隙間を通してガイドされた電圧測定ラインは、前記左側メインフレームに取り付けられた第１の締結手段に通電可能に連結されることを特徴とする請求項１４ないし請求項１６のうちいずれか一項に記載のバスバーを備えたリチウム２次電池単位セット。
【請求項１８】
ハウジング空気流入孔及びハウジング空気流出孔が形成され、前記リチウム２次電池セットを覆いかぶせるリチウム２次電池ハウジングをさらに含み、
前記ハウジング空気流入孔は、前記ハウジング内面と前記前方垂直板との間に形成される前方空気流通路の延長線上または前記ハウジング内面と前記後方垂直板との間に形成される後方空気流通路の延長線上のうちいずれか一つの延長線上に形成され、
前記ハウジング空気流出孔は、前記ハウジング内面と前記前方垂直板との間に形成される前方空気流通路の延長線上または前記ハウジング内面と前記後方垂直板との間に形成される後方空気流通路の延長線上のうち他の一つの延長線上に形成されることを特徴とする請求項１３ないし請求項１７のうちいずれか一項に記載のバスバーを備えたリチウム２次電池単位セット。
【請求項１９】
ハウジング空気流入孔及びハウジング空気流出孔が形成され、前記リチウム２次電池セットを覆いかぶせるリチウム２次電池ハウジングをさらに含み、
前記ハウジング空気流入孔は、前記ハウジングの前面と後面のうちいずれか一面に形成され、
前記ハウジング空気流出孔は、前記ハウジングの前面と後面のうち他の一面に形成されることを特徴とする請求項１３ないし請求項１７のうちいずれか一項に記載のバスバーを備えたリチウム２次電池単位セット。
【請求項２０】
前後に隣り合って設置される請求項１３ないし請求項１９のうちいずれか一項に記載の多数個のリチウム２次電池単位セットと、
ハウジング空気流入孔及びハウジング空気流出孔が形成され、前記多数個のリチウム２次電池単位セットを包み込むリチウム２次電池ハウジングと、
を含み、
前記多数個のリチウム２次電池単位セットのうち隣り合う２個のリチウム２次電池単位セットは、前方リチウム２次電池単位セットの後方離隔突起の後端が後方リチウム２次電池単位セットの前方離隔突起の先端と接触するように設置され、
前記ハウジング空気流入孔及びハウジング空気流出孔は、各々、前記ハウジング内面と前記多数個のリチウム２次電池単位セットのうち最前方に位置したリチウム２次電池単位セットの前方垂直板との間に形成される前方空気流通路の延長線上、前記ハウジング内面と前記リチウム２次電池単位セットのうち最後方に位置したリチウム２次電池単位セットの後方垂直板との間に形成される後方空気流通路の延長線上、及び前記隣り合う２個のリチウム２次電池単位セットの後方垂直板と前方垂直板との間に形成される中間空気流通路の延長線上のうち、少なくともいずれか一つの延長線上に形成されることを特徴とするバス
バーを備えたリチウム２次電池セット。
【請求項２１】
前後に隣り合って設置される請求項１３ないし請求項１９のうちいずれか一項に記載の多数個のリチウム２次電池単位セットと、
ハウジング空気流入孔及びハウジング空気流出孔が形成され、前記多数個のリチウム２次電池単位セットを包み込むリチウム２次電池ハウジングと、
を含み、
前記多数個のリチウム２次電池単位セットのうち隣り合う２個のリチウム２次電池単位セットは、前方リチウム２次電池単位セットの後方離隔突起の後端が後方リチウム２次電池単位セットの前方離隔突起の先端と接触するように設置され、
前記ハウジング空気流入孔は、前記ハウジングの前面と後面のうちいずれか一面に形成され、
前記ハウジング空気流出孔は、前記ハウジングの前面と後面のうち他の一面に形成されることを特徴とするバスバーを備えたリチウム２次電池セット。
【請求項２２】
前記ハウジング空気流入孔は、多数個設置され、前記ハウジング空気流入孔の各々は、前記リチウム２次電池単位セットのうち最前方に位置したリチウム２次電池セットのそれぞれの前方垂直板に形成された空気流通孔の前方に形成され、
前記ハウジング空気流出孔は、多数個設置され、前記ハウジング空気流出孔の各々は、前記リチウム２次電池単位セットのうち最後方に位置したリチウム２次電池単位セットのそれぞれの後方垂直板に形成された空気流通孔の後方に形成されることを特徴とする請求項２０又は２１に記載のバスバーを備えたリチウム２次電池セット。